(57)【要約】      （修正有）【課題】自分撮りをし易いように構成した情報機器のモニターのリフトヒンジ装置並びにこのリフトヒンジ装置を用いた情報機器を提供する。【解決手段】リフト変位手段３とヒンジ手段４とから成り、リフト変位手段は、装置本体へ所定間隔を空けて取り付けられた一対の取付部材５と、取付部材に第１ヒンジピン７を介して回転可能に取り付けられた第１アーム部材６と、第１アーム部材に第２ヒンジピン９を介して回転可能に取り付けた第２アーム部材８と、取付部材に第１ヒンジシャフト１１を介してその一端部を回転可能に取り付けられた一対の第３アーム部材１０と、第１ヒンジシャフトに設けた第３アーム部材の第１回転制御手段１３とで構成し、ヒンジ手段を、第２アーム部材の側板部の他端部側に第２ヒンジシャフト１８を介して回転可能に取り付けたモニターの支持部材１９と、第２ヒンジシャフトに設けた支持部材の第２回転制御手段１７とで構成する。【選択図】図９
2014202239.tif 000002
【特許請求の範囲】
【請求項１】
情報機器の装置本体に対しモニターを開閉可能に取り付けるものであって、リフト変位手段とヒンジ手段とから成り、前記リフト変位手段は、前記装置本体へ所定間隔を空けて取り付けられた一対の取付部材と、連結板部とこの連結板部の両端部に設けた側板部とを有し、前記各側板部の一方を前記各取付部材の各側板部の一方にそれぞれ第１ヒンジピンを介して回転可能に取り付けられた第１アーム部材と、連結板部とこの連結板部より折り曲げた側板部を有し、この各側板部を前記第１アーム部材の前記各側板部の他方にそれぞれ第２ヒンジピンを介して回転可能に取り付けられた第２アーム部材と、前記各取付部材の各側板部の他方にそれぞれ第１ヒンジシャフトを介してその一端部を回転可能に取り付けられた一対の第３アーム部材と、この各第３アーム部材の他端部側を前記第２アーム部材の前記各側板部の中央寄りに回転可能に軸着させた第３ヒンジピンと、前記各第１ヒンジシャフトに設けた前記各第３アーム部材の第１回転制御手段とで構成し、前記ヒンジ手段を、前記第２アーム部材の各側板部の他端部側にそれぞれ第２ヒンジシャフトを介して回転可能に取り付けた一対のモニターの支持部材と、前記各第２ヒンジシャフトに設けた前記各支持部材の第２回転制御手段とで構成したことを特徴とする、リフトヒンジ装置。
【請求項２】
前記各第１回転制御手段は、フランジ部と、このフランジ部に続いて設けられると共に、前記取付部材の第４連結孔に回転可能に軸支された小径の変形軸部と、この変形軸部に続いて設けられると共に前記第３アーム部材の第１変形取付孔に係合固定されたさらに小径の変形取付部を有する一対の第１ヒンジシャフトと、一端部側に第１カム部を有し、他端部側に設けた係止突起を前記取付部材の前記側板部に設けた係合凹部に係合固定させつつ、その中心部軸方向に設けた円形挿通孔に前記各第１ヒンジシャフトの前記変形軸部を回転可能に挿通させて成る第１カム部材と、この各第１カム部材の第１カム部と対向する側に第２カム部を有し、その中心部軸方向に設けた変形挿通孔に前記各第１ヒンジシャフトの前記変形軸部を係合挿通させて当該各第１ヒンジシャフトに回転を規制されつつ軸方向へスライド可能に取り付けられた第２カム部材と、この各第２カム部材と前記各フランジ部の間に前記変形軸部を内部に挿通させつつ弾設された圧縮コイルスプリングから成る一対の弾性部材とで構成したことを特徴とする、請求項１に記載のリフトヒンジ装置。
【請求項３】
前記第２回転制御手段は、前記第２アーム部材の各側板部の他端部側に設けた第２変形取付孔へ係合固定された変形取付部と、この変形取付部に続いて設けられたフランジ部と、このフランジ部に続いて設けられると共に、前記各支持部材の前記各側板部に設けた円形軸支孔に回転可能に貫通して設けられた変形軸部とを有する一対の第２ヒンジシャフトと、この各第２ヒンジシャフトの前記変形軸部をその中心部軸方向に設けた変形挿通孔へ挿通係合させて前記各第２ヒンジシャフトと共に回転可能かつスライド可能に取り付けられたところの一端部側に第１カム部を設けて成る一対の第１カム部材と、前記各支持部材の前記各側板部に設けた円形挿通孔の周りに第１カム部と対向して設けられた第２カム部と、前記各第１カム部材に続いてその中心部軸方向に設けた円形挿通孔に前記各第２ヒンジシャフトの変形軸部を挿通させて設けた複数の皿バネから成る一対の弾性手段と、前記各変形軸部の他端部側にその中心部軸方向に設けた第３変形取付孔を挿通係合させてその露出側端部をかしめることによって固定された一対の押えワッシャーとで構成したことを特徴とする、請求項１に記載のリフトヒンジ装置。
【請求項４】
前記各第１回転制御手段は、フランジ部と、このフランジ部に続いて設けられると共に、前記取付部材の第４連結孔に回転可能に軸支された小径の変形軸部と、この変形軸部に続いて設けられると共に前記第３アーム部材の第１変形取付孔に係合固定されたさらに小径の変形取付部を有する一対の第１ヒンジシャフトと、一端部側に第１カム部を有し、他端部側に設けた係止突起を前記取付部材の前記側板部に設けた係合凹部に係合固定させつつ、その中心部軸方向に設けた円形挿通孔に前記各第１ヒンジシャフトの前記変形軸部を回転可能に挿通させて成る第１カム部材と、この各第１カム部材の第１カム部と対向する側に第２カム部を有し、その中心部軸方向に設けた変形挿通孔に前記各第１ヒンジシャフトの前記変形軸部を係合挿通させて当該各第１ヒンジシャフトに回転を規制されつつ軸方向へスライド可能に取り付けられた第２カム部材と、この各第２カム部材と前記各フランジ部の間に前記変形軸部を内部に挿通させつつ弾設された圧縮コイルスプリングから成る一対の弾性部材とで構成すると共に、前記第２回転制御手段は、前記第２アーム部材の各側板部の他端部側に設けた第２変形取付孔へ係合固定された変形取付部と、この変形取付部に続いて設けられたフランジ部と、このフランジ部に続いて設けられると共に、前記各支持部材の前記各側板部に設けた円形軸支孔に回転可能に貫通して設けられた変形軸部とを有する一対の第２ヒンジシャフトと、この各第２ヒンジシャフトの前記変形軸部をその中心部軸方向に設けた変形挿通孔へ挿通係合させて前記各第２ヒンジシャフトと共に回転可能かつスライド可能に取り付けられたところの一端部側に第１カム部を設けて成る一対の第１カム部材と、前記各支持部材の前記各側板部に設けた円形挿通孔の周りに第１カム部と対向して設けられた第２カム部と、前記各第１カム部材に続いてその中心部軸方向に設けた円形挿通孔に前記各第２ヒンジシャフトの変形軸部を挿通させて設けた複数の皿バネから成る一対の弾性手段と、前記各変形軸部の他端部側にその中心部軸方向に設けた第３変形取付孔を挿通係合させてその露出側端部をかしめることによって固定された一対の押えワッシャーとで構成したことを特徴とする、請求項１に記載のリフトヒンジ装置。
【請求項５】
請求項１〜４に各記載のリフトヒンジ装置を用いたことを特徴とする情報機器。
【発明の詳細な説明】
【技術分野】
【０００１】
本発明は、とくにデジタルカメラやビデオカメラなどの情報機器において、装置本体に対してモニターを開閉可能に取り付けるのに用いて好適なリフトヒンジ装置並びにこのリフトヒンジ装置を用いた情報機器に関する。
【背景技術】
【０００２】
従来、デジタルカメラやビデオカメラなどの情報機器において、装置本体に対してモニターを開閉可能に取り付けるのに用いて好適なリフトヒンジ装置並びにこのヒンジ装置を用いた情報機器として、下記特許文献１のとくに図１１に記載されたような構成のものが公知である。この従来公知の情報機器のヒンジ装置は、情報機器の装置本体に対して２軸ヒンジを用いてモニターを取り付け、モニターを装置本体に対して開いた上で、このモニターを開閉方向とは直交する方向へ回転することができるように構成されている。
【先行技術文献】
【特許文献】
【０００３】
【特許文献１】特開２００７−１７７８９１号公報
【発明の概要】
【発明が解決しようとする課題】
【０００４】
上記特許文献１に記載されているヒンジ装置で２軸を用いたものは、どうしてもヒンジの一部分が外部へ露出するため、外観上無骨な印象を与え、デザイン上の制約もある上に、モニターを閉成状態から上下方向へ１８０度開いた場合に、画面の一部が装置本体に隠れてしまったり、画面が逆さまになってしまったりする他、装置本体の横方向へ開かれるものは、例えば自分撮りをする際などに使いにくいといった問題があった。最近の風潮として、特徴を出すために自分撮りをし易いデジタルカメラやビデオカメラの等の情報機器が求められている。
【０００５】
そこで、本発明の目的は、モニターの装置本体に対する開閉操作前には、当該リフトヒンジ装置が外部へ一切露出することがなく、したがってデザイン上の制約をなくした上で、自分撮りをし易いように構成した情報機器のリフトヒンジ装置並びにこのリフトヒンジ装置を用いた情報機器を提供せんとするにある。
【課題を解決するための手段】
【０００６】
上記した目的を達成するために、本願に係る請求項１発明は、情報機器の装置本体に対しモニターを開閉可能に取り付けるものであって、リフト変位手段とヒンジ手段とから成り、前記リフト変位手段は、前記装置本体へ所定間隔を空けて取り付けられた一対の取付部材と、連結板部とこの連結板部の両端部に設けた側板部とを有し、前記各側板部の一方を前記各取付部材の各側板部の一方にそれぞれ第１ヒンジピンを介して回転可能に取り付けられた第１アーム部材と、連結板部とこの連結板部より折り曲げた側板部を有し、この各側板部を前記第１アーム部材の前記各側板部の他方にそれぞれ第２ヒンジピンを介して回転可能に取り付けられた第２アーム部材と、前記各取付部材の各側板部の他方にそれぞれ第１ヒンジシャフトを介してその一端部を回転可能に取り付けられた一対の第３アーム部材と、この各第３アーム部材の他端部側を前記第２アーム部材の前記各側板部の中央寄りに回転可能に軸着させた第３ヒンジピンと、前記各第１ヒンジシャフトに設けた前記各第３アーム部材の第１回転制御手段とで構成し、前記ヒンジ手段を、前記第２アーム部材の各側板部の他端部側にそれぞれ第２ヒンジシャフトを介して回転可能に取り付けた一対のモニターの支持部材と、前記各第２ヒンジシャフトに設けた前記各支持部材の第２回転制御手段とで構成したことを特徴とする。
【０００７】
その際に請求項２に記載の発明は、請求項１に記載の前記第１回転制御手段を、フランジ部と、このフランジ部に続いて設けられると共に、前記取付部材の第４連結孔に回転可能に軸支された小径の変形軸部と、この変形軸部に続いて設けられると共に前記第３アーム部材の第１変形取付孔に係合固定されたさらに小径の変形取付部を有する一対の第１ヒンジシャフトと、一端部側に第１カム部を有し、他端部側に設けた係止突起を前記取付部材の前記側板部に設けた係合凹部に係合固定させつつ、その中心部軸方向に設けた円形挿通孔に前記各第１ヒンジシャフトの前記変形軸部を回転可能に挿通させて成る第１カム部材と、この各第１カム部材の第１カム部と対向する側に第２カム部を有し、その中心部軸方向に設けた変形挿通孔に前記各第１ヒンジシャフトの前記変形軸部を係合挿通させて当該各第１ヒンジシャフトに回転を規制されつつ軸方向へスライド可能に取り付けられた第２カム部材と、この各第２カム部材と前記各フランジ部の間に前記変形軸部を内部に挿通させつつ弾設された圧縮コイルスプリングから成る一対の弾性部材とで構成したことを特徴とする
【０００８】
さらに請求項３に記載の発明は、請求項１に記載の前記第２回転制御手段を、前記第２アーム部材の各側板部の他端部側に設けた第２変形取付孔へ係合固定された変形取付部と、この変形取付部に続いて設けられたフランジ部と、このフランジ部に続いて設けられると共に、前記各支持部材の前記各側板部に設けた円形軸支孔に回転可能に貫通して設けられた変形軸部とを有する一対の第２ヒンジシャフトと、この各第２ヒンジシャフトの前記変形軸部をその中心部軸方向に設けた変形挿通孔へ挿通係合させて前記各第２ヒンジシャフトと共に回転可能かつスライド可能に取り付けられたところの一端部側に第１カム部を設けて成る一対の第１カム部材と、前記各支持部材の前記各側板部に設けた円形挿通孔の周りに第１カム部と対向して設けられた第２カム部と、前記各第１カム部材に続いてその中心部軸方向に設けた円形挿通孔に前記各第２ヒンジシャフトの変形軸部を挿通させて設けた複数の皿バネから成る一対の弾性手段と、前記各変形軸部の他端部側にその中心部軸方向に設けた第３変形取付孔を挿通係合させてその露出側端部をかしめることによって固定された一対の押えワッシャーとで構成したことを特徴とする。
【０００９】
さらに請求項４に記載の発明は、請求項１に記載の前記第１回転制御手段を、フランジ部と、このフランジ部に続いて設けられると共に、前記取付部材の第４連結孔に回転可能に軸支された小径の変形軸部と、この変形軸部に続いて設けられると共に前記第３アーム部材の第１変形取付孔に係合固定されたさらに小径の変形取付部を有する一対の第１ヒンジシャフトと、一端部側に第１カム部を有し、他端部側に設けた係止突起を前記取付部材の前記側板部に設けた係合凹部に係合固定させつつ、その中心部軸方向に設けた円形挿通孔に前記各第１ヒンジシャフトの前記変形軸部を回転可能に挿通させて成る第１カム部材と、この各第１カム部材の第１カム部と対向する側に第２カム部を有し、その中心部軸方向に設けた変形挿通孔に前記各第１ヒンジシャフトの前記変形軸部を係合挿通させて当該各第１ヒンジシャフトに回転を規制されつつ軸方向へスライド可能に取り付けられた第２カム部材と、この各第２カム部材と前記各フランジ部の間に前記変形軸部を内部に挿通させつつ弾設された圧縮コイルスプリングから成る一対の弾性部材とで構成すると共に、前記第２回転制御手段を、前記第２アーム部材の各側板部の他端部側に設けた第２変形取付孔へ係合固定された変形取付部と、この変形取付部に続いて設けられたフランジ部と、このフランジ部に続いて設けられると共に、前記各支持部材の前記各側板部に設けた円形軸支孔に回転可能に貫通して設けられた変形軸部とを有する一対の第２ヒンジシャフトと、この各第２ヒンジシャフトの前記変形軸部をその中心部軸方向に設けた変形挿通孔へ挿通係合させて前記各第２ヒンジシャフトと共に回転可能かつスライド可能に取り付けられたところの一端部側に第１カム部を設けて成る一対の第１カム部材と、前記各支持部材の前記各側板部に設けた円形挿通孔の周りに第１カム部と対向して設けられた第２カム部と、前記各第１カム部材に続いてその中心部軸方向に設けた円形挿通孔に前記各第２ヒンジシャフトの変形軸部を挿通させて設けた複数の皿バネから成る一対の弾性手段と、前記各変形軸部の他端部側にその中心部軸方向に設けた第３変形取付孔を挿通係合させてその露出側端部をかしめることによって固定された一対の押えワッシャーとで構成したことを特徴とする。
【００１０】
そして、本発明は、上記したリフトヒンジ装置を取り付けた情報機器とすることができる。
【発明の効果】
【００１１】
本発明は以上のように構成したので、装置本体に対してモニターを開くと、リフトヒンジ装置のリフト変位手段によって、モニターは装置本体に対してリフトアップされつつ、上方へ変位し、ヒンジ手段の回転支軸を上方へ移動させるので、このヒンジ手段を介してさらにモニターを開くことによって、モニターの全画面を前方へ向けることができるものである。
【図面の簡単な説明】
【００１２】
【図１】本発明に係るリフトヒンジ装置を用いたデジタルカメラの斜視図である。
【図２】本発明に係るリフトヒンジ装置を用いたデジタルカメラにおけるリフトヒンジ装置の動作を説明する斜視図である。
【図３】本発明に係るリフトヒンジ装置を用いたデジタルカメラにおけるリフトヒンジ装置の動作を説明する斜視図である。
【図４】本発明に係るリフトヒンジ装置を用いたデジタルカメラにおけるリフトヒンジ装置の動作を説明する斜視図である。
【図５】本発明に係るリフトヒンジ装置の斜視図である。
【図６】本発明に係るリフトヒンジ装置の平面図である。
【図７】本発明に係るリフトヒンジ装置の側面図である。
【図８】本発明に係るリフトヒンジ装置を下側から見た斜視図である。
【図９】本発明に係るリフトヒンジ装置の分解斜視図である。
【図１０】本発明に係るリフトヒンジ装置の動作前の状態を示す側面図である。
【図１１】本発明に係るリフトヒンジ装置の動作途中の状態を示す側面図である。
【図１２】本発明に係るリフトヒンジ装置の動作途中の状態を示す側面図である。
【図１３】本発明に係るリフトヒンジ装置の動作途中の状態を示す側面図である。
【図１４】本発明に係るリフトヒンジ装置の動作途中の状態を示す側面図である。
【図１５】本発明に係るリフトヒンジ装置の動作終了時の状態を示す側面図である。
【発明を実施するための形態】
【００１３】
以下に本発明に係るリフトヒンジ装置並びにこのリフトヒンジ装置を用いた情報機器を添付図面に基づいて説明する。本発明において情報機器の一種としてデジタルカメラに実施した場合について説明するが、本発明に係る情報機器はデジタルカメラに限定されない。それはビデオカメラ、その他の情報機器に広く応用することができるものである。
【００１４】
図１〜図４は本発明に係るリフトヒンジ装置２を用いた情報機器の一例としてのデジタルカメラ１を示す。図面ではデジタルカメラ１の外観は大幅に省略してあるが、指示記号１ａで示した部分が装置本体であり、指示記号１ｂで示した部分がモニターである。また、本明細書において、手前側とはモニター１ｂを取り付けてある側を指し、前方とはその反対側を指す。
【００１５】
モニター１ｂは、リフトヒンジ装置２を介して装置本体１ａに対し上下方向へ開閉可能に連結されている。図１に示したように、モニタ−１ｂを装置本体１ａに対して閉じた状態においては、リフトヒンジ装置２は外部から見えない構成になっている。この閉じられた状態において、モニター１ｂは装置本体１ａより突出しており、使用時にはその表面に画像が表示される。今、一方の手で装置本体１ａを持ち、もう一方の手でモニター１ｂの突出している部分を手で持って起こすと、当該モニター１ｂは、図２に示したように、リフトヒンジ装置２を介して手前側へ起き上がりつつ上方へ変位し、しかる後、モニター１ｂの下端部に指をかけて引き起こすと、当該モニター１ｂは装置本体１ａに対して起き上がり、ちょうど閉成状態から１８０度開いたところで全画面を前方に向けて停止する。この状態を示したのが図４である。
【００１６】
このように、デジタルカメラ１のモニター１ｂは、これを起き上がらせることにより、モニター１ｂを装置本体１ａに対し１８０度回転させて画面表示部分を反対側へ向かせることができるものである。
【００１７】
このように構成すると、例えば自分撮りを行う際に、モニター１ｂを自分或は自分たちの方へ向かせ、写っている状態を確認したうえでシャッターを切ることができることになる。
【００１８】
以下、本発明に係るリフトヒンジ装置２の構成を図５〜図１５を用いて説明する。図面によれば、本発明に係るリフトヒンジ装置２は、リフト変位手段３とヒンジ手段４とで構成されている。
【００１９】
まず、リフト変位手段３から説明すると、このリフト変位手段３は、第１取付板部５ａ、５ａと第２取付板部５ｂ、５ｂと、第１取付板部５ａ、５ａと第２取付板部５ｂ、５ｂから上方へ折り曲げた第１側板部５ｃ、５ｃと第２側板部５ｄ、５ｄを有し、装置本体１ａに設けたモニター１ｂよりも若干小さめの窪所１ｃ内の下部側の両側部に位置して所定間隔を空けて第１取付板部５ａ、５ａと第２取付板部５ｂ、５ｂを取り付けた一対の取付部材５、５と、連結板部６ａとこの連結板部６ａの両側に設けた側板部６ｂ、６ｂを有し、この各側板部６ｂ、６ｂの一端部側に設けた各第１連結孔６ｃ、６ｃに、取付部材５、５の第１側板部５ｃ、５ｃに設けた第２連結孔５ｅ、５ｅを第１ヒンジピン７、７を介して回転可能に取り付けた第１アーム部材６と、連結板部８ａとこの連結板部８ａより下方に複雑に折り曲げた側板部８ｂ、８ｂを有し、これらの側板部８ｂ、８ｂの一端部側に設けた第３連結孔８ｃ、８ｃへ通した第２ヒンジピン９、９を介して第１アーム部材６の各側板部６ｂ、６ｂに設けた第４連結孔６ｄ、６ｄに回転可能に連結された第２アーム部材８と、取付部材５、５の各第２側板部５ｄ、５ｄの側に設けた第５連結孔５ｆ、５ｆに、その一端部側に設けた第１変形取付孔１０ａ、１０ａを第１ヒンジシャフト１１、１１を介して回転可能に取り付けると共に、その他端部側に設けた第６連結孔１０ｂ、１０ｂを第２アーム部材８の側板部８ｂ、８ｂの略中央部に設けた第７連結孔８ｄ、８ｄに第３ヒンジピン１２、１２を介して回転可能に取り付けられた第３アーム部材１０、１０と、各第１ヒンジシャフト１１、１１に設けた第１回転制御手段１３、１３とで構成されている。尚、取付部材５、５の第１側板部５ｃ、５ｃと第２側板部５ｄ、５ｄには、第１ストッパー片５ｇ、５ｇと第２ストッパー片５ｈ、５ｈが一方は互いに内側へ、他方は互いに外側へ折り曲げて設けられている。
【００２０】
第１回転制御手段１３、１３の構成は、フランジ部１１ａ、１１ａと、このフランジ部１１ａ、１１ａに続いて設けられると共に、取付部材５、５の第５連結孔５ｆ、５ｆに回転可能に軸支された小径の変形軸部１１ｂ、１１ｂと、この変形軸部１１ｂ、１１ｂに続いて設けられると共に、第３アーム部材１０、１０の第１変形取付孔１０ａ、１０ａに係合固定されたさらに小径の変形取付部１１ｃ、１１ｃから成る第１ヒンジシャフト１１、１１と、一端部側に凸部１４ａ、１４ａと凹部１４ｂ、１４ｂから成る第１カム部１４ｃ、１４ｃを有し、他端部側に設けた複数（実施例では４個）の係止突起１４ｄ、１４ｄ・・・を取付部材５、５の各第２側板部５ｄ、５ｄの略中央部に設けた複数の係合凹部５ｊ、５ｊ・・・に係合固定させつつ、その中心部軸方向に設けた円形挿通孔１４ｅ、１４ｅに第１ヒンジシャフト１１、１１の変形軸部１１ｂ、１１ｂを回転可能に挿通させて成る第１カム部材１４、１４と、この第１カム部材１４、１４の第１カム部１４ｃ、１４ｃと対向する側に凸部１５ａ、１５ａと凹部１５ｂ、１５ｂから成る第２カム部１５ｃ、１５ｃを有し、その中心部軸方向に設けた変形挿通孔１５ｄ、１５ｄに第１ヒンジシャフト１１、１１の変形軸部１１ｂ、１１ｂを係合挿通させて第１ヒンジシャフト１１、１１に回転を規制されつつ軸方向へ移動可能に取り付けられた第２カム部材１５、１５と、この第２カム部材１５、１５とフランジ部１１ａ、１１ａの間に変形軸部１１ｂ、１１ｂを内部に挿通させつつ弾設された圧縮コイルスプリングから成る弾性部材１６、１６とで構成されている。
【００２１】
ヒンジ手段４、４は、第２ヒンジシャフト１８、１８と、取付板部１９ａ、１９ａとこの取付板部１９ａ、１９ａから下方へ折り曲げた側板部１９ｂ、１９ｂを有し、この側板部１９ｂ、１９ｂに設けた円形軸支孔１９ｃ、１９ｃを第２アーム部材８、８の側板部８ｂ、８ｂの他端部側に設けた第２変形取付孔８ｅ、８ｅに第２ヒンジシャフト１８、１８を介して回転可能に取り付けたモニター１ｂを支持する支持部材１９、１９と、第２ヒンジシャフト１８、１８に設けた第２回転制御手段１７、１７とで構成されている。
【００２２】
この第２回転制御手段１７、１７は、その一端部側に設けられると共に、第２アーム部材８、８の側板部８ｂ、８ｂの他端部側に設けた第２変形取付孔８ｅ、８ｅへ係合固定された変形取付部１８ａ、１８ａと、この変形取付部１８ａ、１８ａに続いて設けられたフランジ部１８ｂ、１８ｂと、このフランジ部１８ｂ、１８ｂに続いて設けられると共に、支持部材１９、１９の各側板部１９ｂ、１９ｂに設けた円形軸支孔１９ｃ、１９ｃに回転可能に貫通して設けられた変形軸部１８ｃ、１８ｃと、この変形軸部１８ｃ、１８ｃをその中心部軸方向に設けた変形挿通孔２１ａ、２１ａに挿通係合させて第２ヒンジシャフト１８、１８と、凸部２１ｂ、２１ｂと凹部２１ｃ、２１ｃから成る第１カム部２１ｄ、２１ｄを設けて成る第１カム部材２１、２１と、支持部材１９、１９の各側板部１９ｂ、１９ｂに設けた円形軸支孔１９ｃ、１９ｃの周りに第１カム部２１ｄ、２１ｄ（一方のみ表示）と対向して設けられた凸部２２ａ、２２ａと凹部２２ｂ、２２ｂから成る第２カム部２２、２２と、第１カム部材２１、２１に続いてその中心部軸方向に設けた円形挿通孔２３ａ、２３ａ・・・に第２ヒンジシャフト１８、１８の変形軸部１８ｃ、１８ｃを挿通させて設けた複数の皿バネ２３、２３・・・から成る弾性手段２４、２４と、変形軸部１８ｃ、１８ｃに続いて設けられた変形取付部１８ｄ、１８ｄにその中心部軸方向に設けた第３変形取付孔２５ａ、２５ａを挿通係合させてその露出側端部をかしめることによって固定された押えワッシャー２５、２５とで構成されている。尚、実施例では第２回転制御手段１７、１７の第１カム部材２１、２１の第１カム部２１ｄ、２１ｄと第２カム部２２、２２は一種のロック手段を構成している。
【００２３】
次に、本発明に係るリフトヒンジ装置の作用効果について説明する。取付部材５、５を装置本体１ａの窪所１ｃ内に取り付け、支持部材１９、１９にモニター１ｂを取り付け、当該モニター１ｂを装置本体１ａに対して閉じた状態においては、図１と図１０に示したように、第１アーム部材６、６〜第３アーム部材１０、１０は互いに折り畳まれた状態にあり、モニター１ｂは装置本体１ａの表面から突出している。
【００２４】
この状態から、モニター１ｂを手前側へ引っ張ると、図１１と図１２に示したように、当該モニター１ｂはリフト変位手段３を介して手前側へ持ち上げられ所定の高さまで持ち上げられる。この際に、第１アーム部材６と第１回転制御手段１３、１３を構成する第３アーム部材１０、１０は、第１ヒンジピン７、７と第１ヒンジシャフト１１、１１を支点として旋回して起き上がり、最初は第１回転制御手段１３、１３の第１カム部材１４、１４の凸部１４ａ、１４ａが第２カム部材１５、１５の凹部１５ｂ、１５ｂを乗り越える際の抵抗に遭遇する。モニター１ｂが、図１２に示したように、所定の位置まで持ち上げられると、第１カム部材１４、１４の凸部１４ａ、１４ａは第２カム部材１５、１５の凹部１５ｂ、１５ｂに落ち込むことになり、この際に、弾性部材１６、１６による弾力で、第３アーム部材１０、１０が図中時計方向へ回転付勢されているので、この第３アーム部材１０、１０が自動的に回転することから、モニター１ｂは、図１３に示したように、第２アーム部材８と共にリフトされた状態で上方へ変位し、ヒンジ手段４、４を装置本体１ａの上方へ移動させることになる。このモニター１ｂの上方への移動は、第１アーム部材６の各側板部６ｂ、６ｂと第３アーム部材１０、１０が第１ストッパー片５ｇ、５ｇと第２ストッパー片５ｈ、５ｈへ当接することによって停止される。この状態からさらにモニター１ｂを起こすと、当該モニター１ｂは、図１４に示したように、ヒンジ手段４、４を介して時計方向へ回転し、図１５に示したように全開状態となる。この時のモニター１ｂの装置本体１ａに対する開成角度は約１８０度であり、モニター１ｂの全画面が装置本体１ａの上方へ起き上がることになる。このモニター１ｂを、図１５に示したように、装置本体１ａに対して１８０度開いた際には、第２回転制御手段１７、１７が動作し、第１カム部材２１、２１の第１カム部２１ｄ、２１ｄの凸部２１ｂ、２１ｂが第２カム部２２、２２の凹部２２ｂ、２２ｂに落ち込むことによってロックされ、モニター１ｂが自然に回転してしまうことなく安定的に開成状態を維持することになる。そのため、自分撮りを行う際には撮影される全画面を確認することができ、失敗する恐れがなくなるものである。尚、この１８０度開いた状態においては、図示してない制御回路により、画像は自動的に１８０度反転し画像が逆さまになることはないので、見やすくなることは言うまでもない。
【００２５】
次に、自分撮りを終了した際には、開いているモニター１ｂを手前側に閉じると、最初は、ヒンジ手段４，４が動作し、第２回転制御手段１７、１７の第１カム部材２１、２１の凸部２１ｂ、２１ｂが第２カム部２２、２２の凹部２２ｂ、２２ｂから脱する際の抵抗に遭遇する。さらにモニター１ｂを手前側へ引くと、当該モニター１ｂはヒンジ手段４、４の第２ヒンジシャフト１８、１８を支点に反時計方向へ回転して閉じられ、このヒンジ手段４、４による閉成操作につれてリフト変位手段３が動作して、開成時とは逆の動きでモニター１ｂを下方へ変位移動させつつリフトダウンさせ、図１と図１０に示した閉成状態に戻るものである。この閉成操作の際には、第１回転制御手段１３、１３が動作して、第１カム部材１４、１４の凸部１４ａ、１４ａが第２カム部材１５、１５の凹部１５ｂ、１５ｂに落ち込む際に吸い込み動作が起こり、モニター１ｂは自動的に閉じられ、その閉成状態を安定的に維持するものである。
【００２６】
尚、第１回転制御手段１３、１３は、第１ヒンジピン７、７の側に設けることもでき、第１ヒンジピン７、７と第１ヒンジシャフト１１、１１の双方に設けることもできる。また、第２回転制御手段１７、１７の構成は、実施例のものに限定されず、公知の様々な回転制御手段に置き換えることは可能である。
【産業上の利用可能性】
【００２７】
本発明は以上のように構成したので、リフトヒンジ装置によって外観が損なわれることなく、デザイン上の制約をなくし、さらに、モニターをリフトアップさせつつ変位させ、モニターの画面が装置本体によって遮られることなく全画面を前方へ向けることができるので、とくに自分撮りの際に優れた効果を発揮できることから、デジタルカメラやビデオカメラのような映像を用いる情報機器に好適に用いられるものである。
【符号の説明】
【００２８】
１  デジタルカメラ
１ａ  装置本体
１ｂ  モニター
２  リフトヒンジ装置
３  リフト変位手段
４  ヒンジ手段
５  取付部材
５ｆ  第５連結孔
５ｊ  係合凹部
６  第１アーム部材
６ａ、８ａ  連結板部
６ｂ、８ｂ、１９ｂ  側板部
６ｄ  第４連結孔
７  第１ヒンジピン
８  第２アーム部材
８ｅ  第２変形取付孔
９  第２ヒンジピン
１０  第３アーム部材
１０ａ  第１変形取付孔
１１  第１ヒンジシャフト
１１ａ、１８ｂ  フランジ部
１１ｂ、１８ｃ  変形軸部
１１ｃ、１８ａ、１８ｄ  変形取付部
１２  第３ヒンジピン
１３  第１回転制御手段
１４、２１  第１カム部材
１４ｃ、２１ｄ  第１カム部
１４ｄ  係止突起
１４ｅ、２３ａ  円形挿通孔
１５  第２カム部材
１５ｃ、２２  第２カム部
１５ｄ、２１ａ  変形挿通孔
１６  弾性部材
１７  第２回転制御手段
１８  第２ヒンジシャフト
１９  支持部材
１９ｃ  円形軸支孔
２３  皿バネ
２４  弾性手段
２５  押えワッシャー
２５ａ  第３変形取付孔
【図１】
2014202239.tif 000003
【図２】
2014202239.tif 000004
【図３】
2014202239.tif 000005
【図４】
2014202239.tif 000006
【図５】
2014202239.tif 000007
【図６】
2014202239.tif 000008
【図７】
2014202239.tif 000009
【図８】
2014202239.tif 000010
【図９】
2014202239.tif 000011
【図１０】
2014202239.tif 000012
【図１１】
2014202239.tif 000013
【図１２】
2014202239.tif 000014
【図１３】
2014202239.tif 000015
【図１４】
2014202239.tif 000016
【図１５】
2014202239.tif 000017